(57)【要約】【課題】通気性、クッション性および保温性にとみ、床面に吸着してマットが滑ることなく、さらに、介護を必要とする動物の移動に際しては担架として活用できるマットを提供する。【解決手段】おもて地１１、中綿１２、ハニカム状クッション層１３、プラスチック延伸細紐網１４、滑り止め層１５を有する裏面補強布１６を順次積層し、上記おもて地１１と裏面補強布１６の周囲を縫合して、上記中綿１２、ハニカム状クッション層１３、プラスチック延伸細紐網１４を包み込んでなり、必要ならば、上記動物介護用持ち手付きマットＭの裏面に、その長手方向の１／２から振り分け位置にテープ状ロープ１７を並行してループ状に縫いつけてなる。【選択図】図２
0003120875.tif 000002
【実用新案登録請求の範囲】
【請求項１】
おもて地（１１）、中綿（１２）、ハニカム状クッション層（１３）、プラスチック延伸細紐網（１４）、滑り止め層（１５）を有する裏面補強布（１６）を順次積層し、上記おもて地（１１）と裏面補強布（１６）の周囲を縫合して、上記中綿（１２）、ハニカム状クッション層（１３）、プラスチック延伸細紐網（１４）を包み込んでなる動物介護用持ち手付きマット（Ｍ）。
【請求項２】
上記動物介護用持ち手付きマット（Ｍ）の裏面に、その長手方向の１／２から振り分け位置にテープ状ロープ（１７）を並行してループ状に縫いつけてなる請求項１に記載の動物介護用持ち手付きマット（Ｍ）。
【請求項３】
上記ハニカム状クッション層（１３）は、上・下面にナイロン紡糸繊維でもって編み目または織目を形成し、この編み目または織目間を弓なりにしたナイロン延伸繊維（１３ｅ）でもって編むように繋いでなる請求項１または２に記載の動物介護用持ち手付きマットＭ。
【請求項４】
上記ハニカム状クッション層（１３）は、上・下面をナイロン紡糸繊維により鎖編み（１３ｃ）をしながら亀甲編み目状（１３ｄ）に編成し、この亀甲編み目状（１３ｄ）に編成した鎖編み（１３ｃ）間を弓なりにしたナイロン延伸繊維（１３ｅ）でもって編むように繋いでなる請求項１乃至３のいずれかに記載の動物介護用持ち手付きマット（Ｍ）。
【考案の詳細な説明】
【技術分野】
【０００１】
この考案は、犬・猫等の動物介護用持ち手付きマットで、とりわけ動物の介護用マット（以下、単に「マット」という）に関する。
【背景技術】
【０００２】
マットに関する先行技術として特許文献１および特許文献２がある。
【０００３】
【特許文献１】特開平１１−２８０３４号公報（要約および選択図面）
【特許文献２】特開２００３−２８４４４１号（要約および選択図面）
【考案の開示】
【考案が解決しようとする課題】
【０００４】
上記特許文献１の先行技術は、吸水性ポリマーを内包して清涼感を持たせたマットに関するものであり、特許文献２の先行技術は赤外線放射材と蓄熱材を内包した温熱マットに関するものであって、マット全体の通気性・クッション性の改善、フローリングにおける滑り止め、水洗いを容易にするための考慮が払われたものではなく、さらに、老齢の動物の移動においてはマットが担架代わりなるものではない。
【０００５】
上記先行技術の問題に鑑みこの考案は、通気性、クッション性および保温性にとみ、床面に吸着してマットが滑ることなく、さらに、介護を必要とする動物の移動に際しては担架として活用できるマットを提供することを課題とする。
【課題を解決するための手段】
【０００６】
上記課題を解決するためにこの考案は、おもて地１１、中綿１２、ハニカム状クッション層１３、プラスチック延伸細紐網１４、滑り止め層１５を有する裏面補強布１６を順次積層し、上記おもて地１１と裏面補強布１６の周囲を縫合して、上記中綿１２、ハニカム状クッション層１３、プラスチック延伸細紐網１４を包み込んでなり、必要ならば、上記動物介護用持ち手付きマットＭの裏面に、その長手方向の１／２から振り分け位置にテープ状ロープ１７を並行してループ状に縫いつけてなる。
【０００７】
また詳しくは、上記ハニカム状クッション層１３は、上・下面にナイロン紡糸繊維でもって編み目または織目を形成し、この編み目または織目間を弓なりにしたナイロン延伸繊維１３ｅでもって繋いでなり、より詳しくは、上・下面をナイロン紡糸繊維により鎖編み１３ｃを基本として亀甲編み目状１３ｄに編成し、この亀甲編み目状１３ｄに編成した鎖編み１３ｃ間を弓なりにしたナイロン延伸繊維１３ｅでもって繋いでなる。
【考案の効果】
【０００８】
上記の如く構成するこの考案によれば、おもて地に遠赤外線を放射する生地を採用したので温熱効果を得ることができ、中綿層とハニカム状クッション層を設けることにより肌触りが優しく、かつ、通気性が極めて良好で、ハニカム状クッション層の下にサラン（ダウ・ケミカル社の登録商標）ネットを配置することによりシャキッとした状態になり、裏地に吸着層を有するものを採用したのでフローリングの場所でも不用意に滑ることがなく、テープ状ロープを並行してループ状に縫いつけたので老齢動物の移動においては担架として活用することができる。
【考案を実施するための最良の形態】
【０００９】
次にこの考案の実施の形態を、図面を参照しながら説明する。図１（ａ）は本考案の係る動物介護用持ち手付きマットＭの表面側平面図、同（ｂ）は裏面側平面図で、おもて地１１はコットン１００％で、裏面補強布１６はポリエステル１００％の生地の裏面に発泡エマルジョン樹脂を塗布し、その表面を削ぎ取って発泡部分を開口させて吸着力を付与した滑り止め層１５としたものを採用しており、その裏面には長手方向の１／２から振り分け位置にテープ状ロープ１７を並行してループ状に縫いつけている。
【００１０】
マットＭの断面は図２に示すようになっており、おもて地１１の下に抗菌、防臭、防ダニ処理を施したポリエステル繊維からなる中綿１２、中綿１２の下に空気層があってもなくても良い、その下にはハニカム状クッション層１３、ポリエステル１００％の裏面補強布１６、サラン（ダウ・ケミカル社の商標）ネット層１４、裏面に発泡エマルジョン樹脂を塗布し、その表面を削ぎ取って発泡部分を開口させて吸着力を付与した滑り止め層１５を形成した裏面補強布１６とからなっている。
【００１１】
ハニカム状クッション層１３は、ナイロンの紡糸繊維を基本的に鎖編み１３ｃしながら、それを亀甲編み目状１３ｄに編成して上・下に配置し、上記亀甲編み目状１３ｄに編成して鎖編み１３ｃ間を、０．１ｍｍφのナイロン延伸繊維１３ｅを弓なり状にして編むように繋いだもの（旭化成社の商品名「フュージョン−１」）である。なお、このハニカム状クッション層１３は一層だけになっているが二層重ねにすることもできる。
【００１２】
上記マットＭの縫製は、中綿１２、ハニカム状クッション層１３、サランネット１４の各層を積層し、これらをおもて地１１と裏面補強布１６とで包み込むように周囲を綴じ縫いし、綴じ縫い部分にテープ状布（図省略）でもって袋縫いし、最後にマットＭの裏面に長手方向の１／２から振り分け位置にテープ状ロープ１７を並行してループ状に縫いつけて完了する。なお、テープ状ロープ１７を縫いつけるときには内部の各層を共に縫い止めて移動しないようにする。
【産業上の利用可能性】
【００１３】
以上説明したようにこの考案によれば保温効果があり、使用時には滑ることなく、通気性・クッション性が良好で肌触りも優しいので褥瘡（じょくそう）の発生を防止し、老齢動物の移動に際しては担架として活用もできるので、動物の介護用マットとして広く利用可能となり産業状利用価値の高いものである。
【図面の簡単な説明】
【００１４】
【図１】本考案に係る動物用マットの（ａ）表面側平面図、（ｂ）裏面側平面図
【図２】同断面図
【図３】ハニカム状クッション層の（ａ）平面図、（ｂ）ｂ−ｂ断面図
【符号の説明】
【００１５】
１１  おもて地
１２  中綿
１３  ハニカム状クッション層
１３ｃ  鎖編み
１３ｄ  亀甲編み目状
１３ｅ  ナイロン延伸繊維
１４  プラスチック延伸細紐網（サランネット）
１５  滑り止め層
１６  裏面補強布
１７  テープ状ロープ
Ｈ  把手
Ｍ  マット
【図１】
0003120875.tif 000003
【図２】
0003120875.tif 000004
【図３】
0003120875.tif 000005